(57)【要約】【課題】複数の測定点同士の階層的な関連付けを正確かつ容易に設定できる設定方法、設定システム及び設定プログラムを提供する。【解決手段】設定方法は、分配路に階層的に設けられる複数の測定点の資源消費量を取得する処理と、複数の測定点を設定対象の候補として表示して設定対象の選択を受け付ける処理とを含む。また、設定方法は、設定対象が選択されると、複数の測定点に、その資源消費量が、設定対象との階層の関係に応じた設定対象の資源消費量に関する判定条件を満たす特定の測定点が含まれていれば、特定の測定点を関連付け対象の候補として表示して関連付け対象の選択を受け付ける処理を含む。さらに、設定方法は、関連付け対象が選択されると、設定対象との階層の関係に応じて、関連付け対象と設定対象との関連付けを行う処理を含む。【選択図】図５
2018067070.tif 000002
【特許請求の範囲】
【請求項１】
供給源から複数の供給先に資源を供給する分配路に階層的に設けられる複数の測定点の資源消費量を取得する第１処理と、
前記複数の測定点を設定対象の候補として表示して前記設定対象の選択を受け付ける第２処理と、
前記設定対象が選択されると、前記複数の測定点に、その資源消費量が、前記設定対象との階層の関係に応じた前記設定対象の前記資源消費量に関する判定条件を満たす特定の測定点が含まれているかどうかを判定する第３処理と、
前記複数の測定点に前記特定の測定点が含まれていれば、前記特定の測定点を関連付け対象の候補として表示して前記関連付け対象の選択を受け付ける第４処理と、
前記関連付け対象が選択されると、前記設定対象との階層の関係に応じて、前記関連付け対象と前記設定対象との関連付けを行う第５処理と、
を含む、
設定方法。
【請求項２】
前記設定対象との階層の関係は、前記特定の測定点の階層が前記設定対象の階層よりも下位の階層となる下位関係を含み、
前記判定条件は、前記下位関係に応じた下位判定条件を含み、
前記下位判定条件は、前記特定の測定点の前記資源消費量が前記設定対象の前記資源消費量以下であることである、
請求項１の設定方法。
【請求項３】
前記設定対象との階層の関係は、前記特定の測定点の階層が前記設定対象の階層よりも上位の階層となる上位関係を含み、
前記判定条件は、前記上位関係に応じた上位判定条件を含み、
前記上位判定条件は、前記特定の測定点の前記資源消費量が前記設定対象の前記資源消費量以上であることである、
請求項１又は２の設定方法。
【請求項４】
さらに、前記設定対象の前記資源消費量と前記設定対象に関連付けられた前記関連付け対象の前記資源消費量とが判定基準を満たすかどうかに基づいて前記第５処理での前記関連付けが適切か否かを判定する第６処理を含む、
請求項１〜３のうちいずれか一つの設定方法。
【請求項５】
前記第６処理において、前記判定基準を表示する、
請求項４の設定方法。
【請求項６】
前記第６処理において、前記設定対象の前記資源消費量と前記設定対象に関連付けられた前記関連付け対象の前記資源消費量とを表示する、
請求項５の設定方法。
【請求項７】
前記第６処理において、前記設定対象の前記資源消費量と前記設定対象に関連付けられた前記関連付け対象の前記資源消費量とが前記判定基準を満たさない場合に、エラー情報を表示する、
請求項４〜６のうちいずれか一つの設定方法。
【請求項８】
前記判定基準は、前記設定対象の前記資源消費量が、前記設定対象に下位の測定点として関連付けられた前記関連付け対象の前記資源消費量の合計以上であることである、
請求項４〜７のうちいずれか一つの設定方法。
【請求項９】
前記判定基準は、設定対象の前記資源消費量から前記設定対象に下位の測定点として関連付けられた前記関連付け対象の前記資源消費量の合計を引いた値を前記設定対象の前記資源消費量で除した値が所定の負の値以上であることである、
請求項４〜７のうちいずれか一つの設定方法。
【請求項１０】
前記第１処理は、前記複数の測定点の各々について、前記資源消費量の測定時間帯を設定するステップを含む、
請求項１〜９のうちいずれか一つの設定方法。
【請求項１１】
前記ステップにおいて、所定期間内において前記分配路の全体の資源消費量が最も大きくなる時間帯を前記測定時間帯として設定する、
請求項１０の設定方法。
【請求項１２】
供給源から複数の供給先に資源を供給する分配路に階層的に設けられる複数の測定点の資源消費量を取得する取得部と、
前記複数の測定点を設定対象の候補として表示して前記設定対象の選択を受け付ける第１表示処理部と、
前記設定対象が選択されると、前記複数の測定点に、その資源消費量が、前記設定対象との階層の関係に応じた前記設定対象の前記資源消費量に関する判定条件を満たす特定の測定点が含まれているかどうかを判定する判定部と、
前記複数の測定点に前記特定の測定点が含まれていれば、前記特定の測定点を関連付け対象の候補として表示して前記関連付け対象の選択を受け付ける第２表示処理部と、
前記関連付け対象が選択されると、前記設定対象との階層の関係に応じて、前記関連付け対象と前記設定対象との関連付けを行う関連付け部と、
を備える、
設定システム。
【請求項１３】
コンピュータシステムにより実行されると、
前記コンピュータシステムが、請求項１〜１１のうちいずれか一つの設定方法を行う、
設定プログラム。
【発明の詳細な説明】
【技術分野】
【０００１】
本発明は、設定方法、設定システム及び設定プログラムに関し、特に、複数の測定点同士の階層的な関連付けを設定する設定方法、設定システム及び設定プログラムに関する。
【背景技術】
【０００２】
特許文献１は、業務用ビル等の施設内におけるエネルギー消費に関するエネルギー消費情報を表示するエネルギー監視装置を開示する。特許文献１のエネルギー監視装置は、複数の計量区分（測定点）のツリー表示、及び複数の計量区分のうち選択された１つの計量区分のエネルギー消費情報の表示を行う。
【先行技術文献】
【特許文献】
【０００３】
【特許文献１】特開２００７−１９９７８３号公報
【発明の概要】
【発明が解決しようとする課題】
【０００４】
特許文献１で記載された技術では、ツリー表示を行うために、複数の計量区分の階層的な関連付けを行う必要がある。しかし、計量区分の数が多くなるにつれて、計量区分の関係が複雑になり、計量区分の関連付けを間違える可能性が高くなる。
【０００５】
本発明の課題は、複数の測定点同士の階層的な関連付けを正確かつ容易に設定できる設定方法、設定システム及び設定プログラムを提供することである。
【課題を解決するための手段】
【０００６】
本発明に係る一態様の設定方法は、第１処理、第２処理、第３処理、第４処理、及び第５処理を含む。前記第１処理は、供給源から複数の供給先に資源を供給する分配路に階層的に設けられる複数の測定点の資源消費量を取得する処理である。前記第２処理は、前記複数の測定点を設定対象の候補として表示して前記設定対象の選択を受け付ける処理である。前記第３処理は、前記設定対象が選択されると、前記複数の測定点に、その資源消費量が、前記設定対象との階層の関係に応じた前記設定対象の前記資源消費量に関する判定条件を満たす特定の測定点が含まれているかどうかを判定する処理である。前記第４処理は、前記複数の測定点に前記特定の測定点が含まれていれば、前記特定の測定点を関連付け対象の候補として表示して前記関連付け対象の選択を受け付ける処理である。前記第５処理は、前記関連付け対象が選択されると、前記設定対象との階層の関係に応じて、前記関連付け対象と前記設定対象との関連付けを行う処理である。
【０００７】
本発明に係る一態様の設定システムは、取得部、第１表示処理部、判定部、第２表示処理部、及び関連付け部を備える。前記取得部は、供給源から複数の供給先に資源を供給する分配路に階層的に設けられる複数の測定点の資源消費量を取得するように構成される。前記第１表示処理部は、前記複数の測定点を設定対象の候補として表示して前記設定対象の選択を受け付けるように構成される。前記判定部は、前記設定対象が選択されると、前記複数の測定点に、その資源消費量が、前記設定対象との階層の関係に応じた前記設定対象の前記資源消費量に関する判定条件を満たす特定の測定点が含まれているかどうかを判定するように構成される。前記第２表示処理部は、前記複数の測定点に前記特定の測定点が含まれていれば、前記特定の測定点を関連付け対象の候補として表示して前記関連付け対象の選択を受け付けるように構成される。前記関連付け部は、前記関連付け対象が選択されると、前記設定対象との階層の関係に応じて、前記関連付け対象と前記設定対象との関連付けを行うように構成される。
【０００８】
本発明に係る一態様の設定プログラムは、コンピュータシステムにより実行されるプログラムである。前記コンピュータシステムが、前記設定プログラムを実行することにより、上記態様の設定方法を行う。
【発明の効果】
【０００９】
本発明に係る態様の設定方法、設定システム及び設定プログラムは、複数の測定点同士の階層的な関連付けを正確かつ容易に設定できるという効果を奏する。
【図面の簡単な説明】
【００１０】
【図１】図１は、本発明の一実施形態に係る設定方法を実行するコンピュータシステムの構成図である。
【図２】図２は、上記コンピュータシステムのサーバのブロック図である。
【図３】図３は、上記コンピュータシステムの情報端末のブロック図である。
【図４】図４は、上記コンピュータシステムにより表示されるマップ表示画面の一例を示す図である。
【図５】図５は、上記設定方法のフローチャートである。
【図６】図６は、上記コンピュータシステムにより表示される設定画面の一例を示す図である。
【図７】図７は、上記コンピュータシステムにより表示される選択画面の一例を示す図である。
【図８】図８Ａは、上記コンピュータシステムにより表示される対象回路用の検索画面の一例を示す図である。図８Ｂは、上記コンピュータシステムにより表示される子回路用の検索画面の一例を示す図である。
【図９】図９は、上記コンピュータシステムにより表示される設定画面の別の例を示す図である。
【図１０】図１０は、上記コンピュータシステムの変形例の構成図である。
【発明を実施するための形態】
【００１１】
１．実施形態
本実施形態に係る設定方法、設定システム及び設定プログラムについて説明する。
【００１２】
（１）全体概要
図１は、本実施形態の設定システム１０を有するコンピュータシステムの構成図である。設定システム１０は、供給源から複数の供給先に資源を供給する分配路に階層的に設けられる複数の測定点同士の関連付けを設定するためのシステムである。設定システム１０は、図１及び図２に示すように、情報端末３に表示するコンテンツを作成するサーバ１にて構成される。
【００１３】
本実施形態では、分配路は、図１に示すように、施設５に設けられ、商用交流電源などの電源９（供給源）から複数の負荷機器５０（供給先）に資源（電力）を供給する電力系統９０である。「施設」は、電力の供給を受けるビル等の施設を意味しており、電力会社等の電気事業者から電力の供給を受ける施設だけでなく、太陽光発電設備等の発電設備から電力の供給を受ける施設も含む。
【００１４】
電力系統９０は、受変電設備６１（キュービクル）と、複数（図１では７個）の分岐ブレーカ６２（６２ａ〜６２ｇ）と、を含む。受変電設備６１は、一次側で電源９に接続され、電源９から電力を受け取る。受変電設備６１は、受電点として機能する。３個の分岐ブレーカ６２ａ〜６２ｃの各々は、一次側で、受変電設備６１の二次側に接続されている。つまり、３個の分岐ブレーカ６２ａ〜６２ｃは、並列的に受変電設備６１に接続されており、受変電設備６１から３個の分岐ブレーカ６２ａ〜６２ｃに電力が分配される。２個の分岐ブレーカ６２ｄ，６２ｅの各々は、一次側で、分岐ブレーカ６２ａの二次側に接続されている。つまり、２個の分岐ブレーカ６２ｄ，６２ｅは、並列的に分岐ブレーカ６２ａに接続されており、分岐ブレーカ６２ａから２個の分岐ブレーカ６２ｄ，６２ｅに電力が分配される。２個の分岐ブレーカ６２ｆ，６２ｇの各々は、一次側で、分岐ブレーカ６２ｂの二次側に接続されている。つまり、２個の分岐ブレーカ６２ｆ，６２ｇは、並列的に分岐ブレーカ６２ｂに接続されており、分岐ブレーカ６２ｂから２個の分岐ブレーカ６２ｆ，６２ｇに電力が分配される。
【００１５】
サーバ１は、図１に示すように、施設５に設けられた計測システム２０にネットワーク４を介して接続される。また、サーバ１は、図１に示すように、表示部３１を備える情報端末３にネットワーク４を介して接続される。
【００１６】
計測システム２０は、施設５における電力の消費データ（消費電力量）を取得する。具体的には、計測システム２０は、施設５における複数の分岐回路（つまり、電力の経路）について、消費電力量を消費データとして取得する。施設５における複数の分岐回路の各々には負荷機器５０が接続されている。負荷機器５０は、例えば施設５に設けられた機器であり、電力を消費する電気機器である。負荷機器５０は、例えば照明器具５０ａ〜５０ｃ、空調機器５０ｄ〜５０ｆ、ＥＶ（Electric Vehicle）充電装置５０ｇ等である。図１に示すように、照明器具５０ａ，５０ｂは、分岐ブレーカ６２ｄに接続され、照明器具５０ｃは、分岐ブレーカ６２ｅに接続されている。また、空調機器５０ｄ，５０ｅは、分岐ブレーカ６２ｆに接続され、空調機器５０ｆは、分岐ブレーカ６２ｇに接続されている。また、ＥＶ充電装置５０ｇは、分岐ブレーカ６２ｃに接続されている。
【００１７】
情報端末３は、設定システム１０（サーバ１）で出力された情報（コンテンツ）を表示部３１に表示する。これにより、情報端末３は、設定システム１０で作成された情報（コンテンツ）を、情報端末３の所有者に対して提示することが可能となる。ここで、所有者は、例えば、施設５の工事を依頼した施主（建主）または工事を請け負った工事店の担当者等である。
【００１８】
（２）構成
次に、設定システム１０、計測システム２０及び情報端末３の構成について説明する。
【００１９】
（２．１）計測システム
まず、計測システム２０の構成について説明する。計測システム２０は、電力の分配路を構成する電力系統９０に階層的に設けられる複数の測定点において電力量を計測するように構成される。
【００２０】
図１に示すように、複数のコントローラ２１（図１では３台のコントローラ２１ａ〜２１ｃ）と、測定点として電力系統９０に設けられる複数の電流センサ２２（図１では１５個の電流センサ２２ａ〜２２ｏ）と、を備えている。
【００２１】
複数のコントローラ２１は、少なくとも１つの電流センサ２２に電気的に接続されている。具体的には、コントローラ２１ａは、６個の電流センサ２２ａ，２２ｂ，２２ｅ，２２ｆ，２２ｉ，２２ｊに電気的に接続されている。コントローラ２１ｂは、４個の電流センサ２２ｄ，２２ｋ，２２ｎ，２２ｏに電気的に接続されている。コントローラ２１ｃは、５個の電流センサ２２ｃ，２２ｇ，２２ｈ，２２ｌ，２２ｍに電気的に接続されている。
【００２２】
電流センサ２２ａは、受変電設備６１の一次側に設けられ、幹線（電源９と受変電設備６１とを接続する線）を流れる電流の値を計測する。
【００２３】
７個の電流センサ２２ｂ〜２２ｈは、７個の分岐ブレーカ６２ａ〜６２ｇに対応して設けられ、７個の分岐ブレーカ６２ａ〜６２ｇに対応する分岐回路に流れる電流の値をそれぞれ計測する。ここでいう「分岐回路」は、受変電設備６１及び／又は１以上の分岐ブレーカ６２にて幹線から分岐された各回路を意味する。分岐回路には、分岐ブレーカ６２に接続される配線、照明器具や調理家電等の負荷機器５０、コンセント（アウトレット）、壁スイッチ等を含んでいる。例えば、分岐ブレーカ６２ｄで分岐された分岐回路は、分岐ブレーカ６２ｄと照明器具５０ａ，５０ｂとを含む回路である。また、受変電設備６１で分岐された分岐回路は、受変電設備６１と分岐ブレーカ６２ａ，６２ｂ，６２ｃの各々で分岐された分岐回路とを含む回路である。
【００２４】
７個の電流センサ２２ｉ〜２２ｏは、７台の負荷機器５０ａ〜５０ｇに対応して設けられ、７台の負荷機器５０ａ〜５０ｇに供給される電流の値をそれぞれ計測する。
【００２５】
複数のコントローラ２１の各々は、電気的に接続された１つ以上の電流センサ２２の出力を用いて、複数の分岐回路の各々について、消費電力と消費電力量（電力量）との少なくとも一方を計測する。複数のコントローラ２１の各々は、計測された計測値を、施設５に設けられたルータ７を介してサーバ１へ送信する。
【００２６】
コントローラ２１ａは、受変電設備６１の二次側に接続された回路で使用される電力量、分岐ブレーカ６２ａ，６２ｄ，６２ｅ，６２ｆの各々で分岐される分岐回路で使用される電力量、及び照明器具５０ａ，５０ｂの各々で使用される電力量をそれぞれ計測する。
【００２７】
コントローラ２１ｂは、分岐ブレーカ６２ｃで分岐される分岐回路で使用される電力量、照明器具５０ｃで使用される電力量、空調機器５０ｆで使用される電力量、及びＥＶ充電装置５０ｇで使用される電力量の値を計測する。
【００２８】
コントローラ２１ｃは、分岐ブレーカ６２ｂ，６２ｆ，６２ｇで分岐された分岐回路の各々で使用される電力量、及び空調機器５０ｄ，５０ｅの各々で使用される電力量を計測する。
【００２９】
なお、以降において、“分岐ブレーカで分岐された分岐回路の電力量”との記載を、“分岐ブレーカの電力量”と記載する。
【００３０】
上述したように、計測システム２０の計測値は、受変電設備６１の二次側に接続された回路及び施設５における複数の分岐回路の各々について、複数のコントローラ２１で計測される消費電力と消費電力量との少なくとも一方を含んでいる。つまり、計測値は、瞬時電力を表す消費電力であってもよいし、あるいは一定時間における電力の消費量（使用量）を表す消費電力量であってもよい。また、計測値は、消費電力と消費電力量との両方であってもよい。本実施形態では一例として、計測値は、消費電力を一定時間（例えば正時から３０分間隔）で積算した消費電力量である。
【００３１】
（２．２）情報端末
次に、情報端末３の構成について説明する。
【００３２】
情報端末３は、図３に示すように、表示部３１と、処理部３２と、通信部３３と、入力部３４と、記憶部３５とを備える。情報端末３は、ＣＰＵ（Central Processing Unit）及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。情報端末３は、例えば、スマートフォンである。
【００３３】
表示部３１は、例えば液晶ディスプレイや有機ＥＬ（electroluminescence）ディスプレイのような薄型のディスプレイ装置である。
【００３４】
処理部３２は、表示部３１を制御することにより、表示制御部１６の第１表示処理部１７で作成された画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００３５】
通信部３３は、ネットワーク４に接続されることで、情報端末３とサーバ１（設定システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、公衆無線ＬＡＮ（Local Area Network）を介してネットワーク４に接続されてもよい。
【００３６】
入力部３４は、情報端末３の所有者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００３７】
記憶部３５は、例えばフラッシュメモリ等の電気的に書換可能な不揮発性の半導体メモリで構成される。
【００３８】
情報端末３は、上記構成によりサーバ１で作成された画面（コンテンツ）を表示することができる。
【００３９】
なお、情報端末３がスマートフォンで構成されることは一例である。情報端末３は、携帯電話機、パーソナルコンピュータ等で構成されてもよい。
【００４０】
（２．３）設定システム
次に、設定システム１０の構成について説明する。設定システム１０は、上述したように、本実施形態ではサーバ１にて構成されている。サーバ１は、情報端末３及び複数のコントローラ２１にネットワーク４を介して接続される。
【００４１】
設定システム１０は、図４に示すような、分配路のマップを示す画面（マップ表示画面）２００を表示する機能を有する。
【００４２】
マップ表示画面２００は、回路表示領域２０１〜２１５及びボタン表示領域２２０〜２２６を含んでいる。なお、図４中の参照符号及び領域を囲む一点鎖線は、説明のために記載しているのみであり、実際には表示されない。
【００４３】
回路表示領域２０１〜２１５の各々は、対応する回路（測定点）の名称を表示する。回路表示領域２０１〜２１５は、互いの関係を示すように実線により接続されている。
【００４４】
ボタン表示領域２２０〜２２６の各々は、対応する回路表示領域で表される回路の配下に属する他の回路の表示と非表示とを切り替えるためのボタンを表示する。つまり、ボタン表示領域２２０〜２２６は、対応する回路表示領域で表される回路より下位のツリー構成を展開したり折り畳んだりするためのボタンを表示する。ボタン表示領域に表示されるボタンに−（マイナス）記号が付されている場合には、ボタンにより下位のツリー構成の折り畳みが可能であることを示している。ボタン表示領域に表示されるボタンに＋（プラス）記号が付されている場合には、ボタンにより下位のツリー構成の展開が可能であることを示している。
【００４５】
図４に示すような画面２００を表示するためには、複数の測定点同士の関連付けを設定する必要がある。そのため、設定システム１０は、図５に示すような、設定方法を実行する。設定方法は、第１処理（ステップＳ１１）、第２処理（ステップＳ１２，Ｓ１３）、第３処理（ステップＳ１４）、第４処理（ステップＳ１５，Ｓ１６）、第５処理（ステップＳ１７）、及び第６処理（ステップＳ１８，Ｓ１９，Ｓ２１）を含む。
【００４６】
第１処理は、供給源から複数の供給先に資源を供給する分配路に階層的に設けられる複数の測定点の資源消費量を取得する処理（取得処理）である。第２処理は、複数の測定点を設定対象の候補として表示して設定対象の選択を受け付ける処理（第１表示受付処理）である。第３処理は、設定対象が選択されると、複数の測定点に、その資源消費量が、設定対象との階層の関係に応じた設定対象の資源消費量に関する判定条件を満たす特定の測定点が含まれているかどうかを判定する処理（判定処理）である。第４処理は、複数の測定点に特定の測定点が含まれていれば、特定の測定点を関連付け対象の候補として表示して関連付け対象の選択を受け付ける処理（第２表示受付処理）である。第５処理は、関連付け対象が選択されると、設定対象との階層の関係に応じて、関連付け対象と設定対象との関連付けを行う処理（関連付け処理）である。第６処理は、設定対象の資源消費量と設定対象に関連付けられた関連付け対象の資源消費量とが判定基準を満たすかどうかに基づいて第５処理での関連付けが適切か否かを判定する処理（評価処理）である。
【００４７】
以下、設定システム１０を構成するサーバ１についてさらに詳細に説明する。
【００４８】
サーバ１は、図２に示すように、記憶部１１と、処理部１２と、通信部１３とを備える。
【００４９】
記憶部１１は、書換可能な記録媒体である。記憶部１１は、例えば、ＲＡＭ（Random Access Memory）またはＥＥＰＲＯＭ（Electrically Erasable Programmable Read Only Memory）等である。
【００５０】
記憶部１１は、複数の測定点（複数の電流センサ２２）それぞれについての属性情報を記憶する。属性情報は、例えば、表１に示すように、識別情報と、名称情報と、所属情報と、分類情報と、種別情報と、を含む。
【００５１】
識別情報は、測定点を識別するための情報である。説明をわかりやすくするために、表１では、識別情報を、Ａ〜Ｏのアルファベットで示している。
【００５２】
名称情報は、測定点をユーザが把握しやすいように測定点に付けられた名称を示す情報である。
【００５３】
所属情報は、測定点がどのコントローラ２１に対応付けられているかを示す情報である。ここで、「コントローラ１」、「コントローラ２」及び「コントローラ３」は、それぞれ、コントローラ２１ａ，２１ｂ及び２１ｃに付けられた名称である。
【００５４】
分類情報は、測定点の分類を示す情報である。分類は、例えば、「受電点」、「電灯」、「動力」、「コンセント」、「その他」を含む。例えば、「受電点」は、資源の供給源に対応する測定点（分配路の入り口に対応する測定点）であることを示す。「コンセント」は、資源の供給先に対応する測定点（分配路の出口に対応する測定点）であることを示す。「電灯」、「動力」、「その他」は、測定点間に配置される測定点（つまり、分配路の中継点に対応する測定点）であることを示す。
【００５５】
種別情報は、測定点が実在点であるか仮想点であるかを示す情報である。実在点は、実際に分配路に設けられている測定点として定義される。例えば、電流センサが実在点に該当する。表１では、電流センサの符号をそのまま実在点を示す情報として記載している。仮想点は、実際には分配路に設けられておらず、仮想的に分配路に設けられた測定点として定義される。
【００５６】
【表１】
2018067070.tif 000003
【００５７】
通信部１３は、ネットワーク４に接続されることで、サーバ１と情報端末３との間の通信を可能にする。なお、通信部１３は、公衆無線ＬＡＮを介してネットワーク４に接続されてもよい。
【００５８】
処理部１２は、ＣＰＵ及びメモリを有している。ＣＰＵがメモリに格納されているプログラムを実行することにより、後述する処理部１２の機能を実現する。プログラムは、ここではインターネットなどの電気通信回線を通じて、あるいはメモリカードなどの記録媒体に記録されて提供されるが、コンピュータのメモリに予め記録されていてもよい。
【００５９】
処理部１２は、図２に示すように、取得部１４及び表示制御部１５を有している。
【００６０】
取得部１４は、複数の測定点の資源消費量を取得する処理（第１処理；ステップＳ１１）を行うように構成される。また、第１処理は、複数の測定点の各々について、資源消費量の測定時間帯を設定するステップを含む。そのため、分配路が設置される施設５に合わせて適切な資源消費量を取得でき、複数の測定点の特定の測定点が含まれているかどうかの判定の精度を向上できる。特に、当該ステップでは、所定期間内において分配路の全体の資源消費量が最も大きくなる時間帯を測定時間帯として設定する。そのため、複数の測定点の特定の測定点が含まれているかどうかの判定の精度を向上できる。所定期間は、例えば、１日であり、時間帯は３０分単位で、０：００から設定される。例えば、測定時間帯は、月曜日の９：３０〜１０：００に設定される。
【００６１】
本実施形態では、取得部１４は、計測システム２０で計測された複数の測定点の消費電力量の時系列データから、電流センサ２２ａに対応する測定点の消費電力量が最も大きくなる時間帯を測定時間帯として設定する。そして、取得部１４は、計測システム２０で計測された複数の測定点の消費電力量の時系列データから、設定された測定時間帯における消費電力量を各測定点の測定情報として取得して記憶部１１に記憶させる。取得部１４が第１処理を実行することにより、記憶部１１は、例えば、表２に示すように、複数の測定点のそれぞれについて、測定情報を記憶する。
【００６２】
【表２】
2018067070.tif 000004
【００６３】
表示制御部１５は、記憶部１１に記憶された情報に基づいて、画面情報を作成するように構成される。ここで、画面情報は、情報端末３に所望の表示画面を表示させるための情報である。画面情報は、例えば、表示画面の画像データそれ自体であってもよい。また、情報端末３が、表示画面を表示するためのアプリケーションを有していれば、画面情報はこのアプリケーションと共同して表示画面を表示するためのデータであってもよい。例えば、情報端末３のアプリケーションが表示画面の画像データの全てを有していれば、画面情報は、画像データにより表示画面を構成するためのデータであってもよい。あるいは、情報端末３のアプリケーションが表示画面の画像データの一部を有していれば、画面情報は、画像データの残りの部分であってもよい。
【００６４】
表示制御部１５は、図６〜図９に示すような、測定点同士の関連付けを設定するための画面Ｇ１０〜Ｇ５０を表示するように構成される。なお、画面Ｇ１０〜Ｇ５０中の参照符号及び領域を囲む一点鎖線は、説明のために記載しているのみであり、実際には表示されない。
【００６５】
画面Ｇ１０，Ｇ５０は、現在の測定点同士の関連付けの状態を表示する画面（設定画面）である。画面Ｇ１０，Ｇ５０は、図６及び図９に示すように、関連付け領域Ｒ１０と、ボタンＢ１１と、ボタンＢ１２と、を表示する。
【００６６】
ボタンＢ１１は、現在の測定点同士の関連付けの設定を登録するためのボタンである。ボタンＢ１１は、「登録」という文字を含む画像を表示する。ボタンＢ１２は、現在の測定点同士の関連付けの設定を登録せずに終了するためのボタンである。ボタンＢ１２は、「キャンセル」という文字を含む画像を表示する。
【００６７】
関連付け領域Ｒ１０は、現在の測定点同士の関連付けの状態を表示する領域である。関連付け領域Ｒ１０は、対応付けられた測定点の名称を表示するボックス（Ｆ１１０〜Ｆ１５０，Ｆ５１０，Ｆ５２１〜Ｆ５２３，Ｆ５３１〜Ｆ５３５，Ｆ５４１〜Ｆ５４３）を表示する。
【００６８】
ボックスは、階層分けして表示されている。画面Ｇ１０，Ｇ５０では、５つの階層（第１階層〜第５階層）が予め設定されている。第１階層は、最上位の階層であり、第２階層、第３階層、第４階層、第５階層の順に、下位の階層となる。
【００６９】
例えば、設定画面Ｇ１０の関連付け領域Ｒ１０では、ボックスＦ１１０〜Ｆ１５０はいずれの測定点にも対応付けられていない。したがって、設定画面Ｇ１０の関連付け領域Ｒ１０は、測定点間の対応付けがなされていないことを示している。一方、設定画面Ｇ５０の関連付け領域Ｒ１０では、第１階層において、ボックスＦ５１０が測定点Ａ（「受電点」）に対応付けられている。
【００７０】
また、設定画面Ｇ５０の第２階層において、ボックスＦ５２１，Ｆ５２２がそれぞれ測定点Ｂ（「電灯系統」）及び測定点Ｃ（「動力系統」）に対応付けられている。また、ボックスＦ５２１，Ｆ５２２は第１階層のボックスＦ５１０に接続されている。したがって、設定画面Ｇ５０の関連付け領域Ｒ１０は、測定点Ａ（「受電点」）に下位の測定点Ｂ（「電灯系統」）及び測定点Ｃ（「動力系統」）が関連付けられていることを示している。
【００７１】
また、設定画面Ｇ５０の第３階層において、ボックスＦ５３１，Ｆ５３２がそれぞれ測定点Ｅ（「２Ｆ電灯」）及び測定点Ｆ（「１Ｆ電灯」）に対応付けられている。また、ボックスＦ５３１，Ｆ５３２は第２階層のボックスＦ５２１に接続されている。したがって、設定画面Ｇ５０の関連付け領域Ｒ１０は、測定点Ｂ（「電灯系統」）に下位の測定点Ｅ（「２Ｆ電灯」）及び測定点Ｆ（「１Ｆ電灯」）が関連付けられていることを示している。
【００７２】
また、設定画面Ｇ５０の第３階層において、ボックスＦ５３３が測定点Ｇ（「２Ｆ動力」）に対応付けられている。また、ボックスＦ５３３は第２階層のボックスＦ５２２に接続されている。したがって、設定画面Ｇ５０の関連付け領域Ｒ１０は、測定点Ｃ（「動力系統」）に下位の測定点Ｇ（「２Ｆ動力」）が関連付けられていることを示している。
【００７３】
なお、ボックスＦ５２３，Ｆ５３３，Ｆ５３５，Ｆ５４１，Ｆ５４２，Ｆ５４３は、いずれの測定点にも対応付けられていない。
【００７４】
画面Ｇ１０又はＧ５０において、いずれかのボックス（Ｆ１１０〜Ｆ１５０，Ｆ５１０，Ｆ５２１〜Ｆ５２３，Ｆ５３１〜Ｆ５３５，Ｆ５４１〜Ｆ５４３）が選択されると、表示制御部１５は、図７に示す画面（選択画面）Ｇ２０を表示する。選択画面Ｇ２０は、測定点同士の階層的な関連付けを設定するための画面である。選択画面Ｇ２０は、選択領域Ｓ２１、Ｓ２２，Ｓ２３と、ボタンＢ２１，Ｂ２２，Ｂ２３，Ｂ２４と、候補表示領域Ｒ２０と、を表示する。
【００７５】
選択領域Ｓ２１、Ｓ２２及びボタンＢ２１は、設定対象となる測定点を選択するために用いられる。選択画面Ｇ２０は、設定対象を、「対象回路」という名称で表示している。
【００７６】
選択領域Ｓ２３は、設定対象に上位の測定点として関連付ける測定点を選択するために用いられる。選択画面Ｇ２０は、設定対象に上位の測定点として関連付ける測定点を「親回路」という名称で表示している。
【００７７】
候補表示領域Ｒ２０は、設定対象に下位の測定点として関連付ける測定点を選択するために用いられる。候補表示領域Ｒ２０は、設定対象に下位の測定点として関連付ける測定点を「子回路」という名称で表示している。
【００７８】
ボタンＢ２３は、現在の測定点同士の関連付けの設定を登録するためのボタンである。ボタンＢ２３は、「登録」という文字を含む画像を表示する。ボタンＢ２４は、現在の測定点同士の関連付けの設定を登録せずに終了するためのボタンである。ボタンＢ２４は、「キャンセル」という文字を含む画像を表示する。いずれかのボタンＢ２３，Ｂ２４が選択されると、表示制御部１５は、現在の測定点同士の関連付けの状態に基づいて、設定画面（画面Ｇ１０，Ｇ５０参照）を表示する。
【００７９】
表示制御部１５は、選択画面Ｇ２０において測定点同士の階層的な関連付けを行うために、図２に示すように、第１表示処理部１５１、判定部１５２、第２表示処理部１５３、関連付け部１５４、及び評価部１５５を有する。
【００８０】
第１表示処理部１５１は、複数の測定点を設定対象の候補として表示して設定対象の選択を受け付ける処理（第２処理；ステップＳ１２，Ｓ１３）を行うように構成される。
【００８１】
第１表示処理部１５１は、選択画面Ｇ２０の選択領域Ｓ２１，Ｓ２２の操作に応じて、複数の測定点を設定対象の候補として表示して、設定対象の選択を受け付ける。例えば、第１表示処理部１５１は、選択画面Ｇ２０において選択領域Ｓ２１が選択されると、測定点の所属情報の候補を表示する。例えば、第１表示処理部１５１は、「コントローラ１」、「コントローラ２」、及び「コントローラ３」を選択肢として表示するプルダウンリストを表示する。また、第１表示処理部１５１は、選択画面Ｇ２０において選択領域Ｓ２２が選択されると、設定対象の候補を表示する。例えば、第１表示処理部１５１は、設定対象の候補の名称を選択肢として表示するプルダウンリストを表示する。ここで、選択領域Ｓ２１で所属情報が選択されている場合、選択された所属情報に当てはまる測定点の名称だけが設定対象の候補として表示される。例えば、選択領域Ｓ２１で「コントローラ１」が選択されている場合、選択領域Ｓ２２のプルダウンリストは、「受電点」、「電灯系統」、「２Ｆ電灯」、「１Ｆ電灯」、「２Ｆ会議室１  電灯」、及び「２Ｆ会議室２  電灯」を選択肢として表示する。
【００８２】
また、第１表示処理部１５１は、選択画面Ｇ２０のボタンＢ２１の操作に応じて、図８Ａに示す画面（対象回路用の検索画面）Ｇ３０を表示する。対象回路用の検索画面Ｇ３０は、選択領域Ｓ３１，Ｓ３２と、ボタンＢ３１、Ｂ３２，Ｂ３３と、結果表示領域Ｒ３０と、を表示する。
【００８３】
選択領域Ｓ３１，Ｓ３２は、対象回路の候補の検索の条件を指定するための領域である。選択領域Ｓ３１は、測定点の分類情報に関する検索条件の選択肢を表示する。例えば、選択領域Ｓ３１は、分類情報に関する検索条件の候補を選択肢として表示するプルダウンリストを表示する。なお、選択領域Ｓ３１のプルダウンリストは、分類情報の検索条件を指定しない選択肢（例えば、「なし」という文字）を含んでいてもよい。選択領域Ｓ３２は、測定点の測定情報（本実施形態では、電力情報）の検索条件に関する選択肢を表示する。測定情報に関する検索条件の選択肢は、例えば、「最大電力量」、「最小電力量」、及び「なし」という選択肢を含む。「最大電力量」は、複数の測定点の候補（選択領域Ｓ３１で選択された分類情報に合致する測定点）のうち消費電力量が最も大きいという条件を指定する選択肢である。「最小電力量」は、複数の測定点の候補（選択領域Ｓ３１で選択された分類情報に合致する測定点）のうち消費電力量が最も小さいという条件を指定する選択肢である。「なし」は、測定情報に関する条件を指定しない選択肢である。
【００８４】
ボタンＢ３１は、選択領域Ｓ３１，Ｓ３２で指定された条件に基づいて、対象回路の候補の検索を行うためのボタンである。ボタンＢ３１が操作されると、第１表示処理部１５１は、複数の測定点から選択領域Ｓ３１，Ｓ３２で指定された条件に合致する測定点を検索し、検索の結果を、結果表示領域Ｒ３０に表示する。例えば、第１表示処理部１５１は、図８Ａに示すように、検索された測定点を、チェックボックスとともに、結果表示領域Ｒ３０に表示する。結果表示領域Ｒ３０に表示された測定点を、設定対象（対象回路）として選択する際には、測定点に対応するチェックボックスにチェックを入れればよい。なお、図８Ａは、分類情報の検索条件が「なし」であり、電力情報の検索条件が「最大電力回路」である場合の検索結果を示している。
【００８５】
ボタンＢ３２は、設定対象の選択を登録せずに終了するためのボタンである。ボタンＢ３２は、「キャンセル」という文字を含む画像を表示する。ボタンＢ３２が選択されると、表示制御部１５は、選択画面Ｇ２０を表示する。この場合、検索画面Ｇ３０での設定対象の選択が無効になる。そのため、例えば、選択領域Ｓ２１，Ｓ２２は空欄となる。
【００８６】
ボタンＢ３３は、設定対象の選択を登録するためのボタンである。ボタンＢ３３は、「登録」という文字を含む画像を表示する。ボタンＢ３３が選択されると、表示制御部１５は、選択画面Ｇ２０を表示する。この場合、検索画面Ｇ３０での設定対象の選択が有効になる。そのため、例えば、選択領域Ｓ２１，Ｓ２２は、設定対象の情報を表示する。
【００８７】
判定部１５２は、設定対象（対象回路）が選択されると、複数の測定点に、特定の測定点が含まれているかどうかを判定する処理（第３処理；ステップＳ１４）を行うように構成される。特定の測定点は、その資源消費量が、設定対象との階層の関係に応じた設定対象の資源消費量に関する判定条件を満たす測定点である。ここで、設定対象との階層の関係は、特定の測定点の階層が設定対象の階層よりも下位の階層となる下位関係と、特定の測定点の階層が設定対象の階層よりも上位の階層となる上位関係とを含む。また、判定条件は、下位関係に応じた下位判定条件と、上位関係に応じた上位判定条件と、を含む。つまり、下位判定条件は、複数の測定点に、設定対象の下位の測定点（つまり、子回路）として適した測定点があるかどうかを判定するための条件である。下位判定条件は、特定の測定点の資源消費量（消費電力量）が設定対象の資源消費量（消費電力量）以下であることである。そのため、設定対象への下位の測定点の関連付けを正確かつ容易に行える。以下、下位判定条件を満たす測定点を、特定の下位測定点という。また、上位判定条件は、複数の測定点に、設定対象の上位の測定点（つまり、親回路）として適した測定点があるかどうかを判定するための条件である。上位判定条件は、特定の測定点の資源消費量（消費電力量）が設定対象の資源消費量（消費電力量）以上であることである。そのため、設定対象への上位の測定点の関連付けを正確かつ容易に行える。以下、上位判定条件を満たす測定点を、特定の上位測定点という。
【００８８】
例えば、設定対象が測定点Ｅである場合、測定情報で示される消費電力量が１２．４ｋＷｈである。測定点Ｄ，Ｆ，Ｈ，Ｉ，Ｊ，Ｋ，Ｍ，Ｎ，Ｏは、消費電力量が１２．４ｋＷｈ以下である。したがって、判定部１５２は、複数の測定点Ａ〜Ｏに特定の下位測定点が含まれていると判断する。また、測定点Ａ，Ｂ，Ｃ，Ｅ，Ｇ，Ｌは、消費電力量が１２．４ｋＷｈ以上である。したがって、判定部１５２は、複数の測定点Ａ〜Ｏに特定の上位測定点が含まれていると判断する。
【００８９】
なお、分類情報が「受電点」である測定点については、上位の測定点が存在しないため、判定部１５２は、上位判定条件に関する判定を行わない。同様に、分類情報が「コンセント」である測定点については、下位の測定点が存在しないため、判定部１５２は、下位判定条件に関する判定を行わない。
【００９０】
第２表示処理部１５３は、複数の測定点に特定の測定点が含まれていれば、特定の測定点を関連付け対象の候補として表示して関連付け対象の選択を受け付ける処理（第４処理；ステップＳ１５，Ｓ１６）を行うように構成される。本実施形態では、第２表示処理部１５３は、複数の測定点に特定の上位測定点が含まれていれば、特定の上位測定点を関連付け対象（上位関連付け対象）の候補として表示して上位関連付け対象の選択を受け付ける。また、第２表示処理部１５３は、複数の測定点に特定の下位測定点が含まれていれば、特定の下位測定点を関連付け対象（下位関連付け対象）の候補として表示して下位関連付け対象の選択を受け付ける。また、第２表示処理部１５３は、複数の測定点に特定の測定点が含まれていなければ、関連付け対象の候補がないことを表示する（ステップＳ２０）ように構成される。
【００９１】
第２表示処理部１５３は、選択画面Ｇ２０の選択領域Ｓ２３の操作に応じて、特定の上位測定点を上位関連付け対象（親回路）の候補として表示する。例えば、第２表示処理部１５３は、上位関連付け対象の候補を選択肢として表示するプルダウンリストを表示する。なお、設定対象に既に上位の測定点が関連付けられている場合、第２表示処理部１５３は、既に設定対象に関連付けられている上位の測定点を、選択領域Ｓ２３に表示してもよい。また、第２表示処理部１５３は、上位関連付け対象の候補がない場合、プルダウンリストを空欄としてもよいし、上位関連付け対象の候補がないことを意味するメッセージを表示してもよい。
【００９２】
また、第２表示処理部１５３は、候補表示領域Ｒ２０に、特定の下位測定点を下位関連付け対象（子回路）の候補として表示する。例えば、第２表示処理部１５３は、図７に示すように、特定の下位測定点を、チェックボックスとともに、候補表示領域Ｒ２０に表示する。候補表示領域Ｒ２０に表示された特定の下位測定点を、下位関連付け対象（子回路）として選択する際には、特定の下位測定点に対応するチェックボックスにチェックを入れればよい。なお、図７の候補表示領域Ｒ２０は、対象回路が測定点Ａである場合の特定の下位測定点のリストを示している。なお、第２表示処理部１５３は、下位関連付け対象の候補がない場合、候補表示領域Ｒ２０を空欄としてもよいし、下位関連付け対象の候補がないことを意味するメッセージを表示してもよい。
【００９３】
また、第２表示処理部１５３は、選択画面Ｇ２０のボタンＢ２２の操作に応じて、図８Ｂに示す画面（子回路用の検索画面）Ｇ４０を表示する。子回路用の検索画面Ｇ４０は、選択領域Ｓ４１，Ｓ４２と、ボタンＢ４１、Ｂ４２，Ｂ４３と、結果表示領域Ｒ４０と、を表示する。
【００９４】
選択領域Ｓ４１，Ｓ４２は、子回路の候補の検索の条件を指定するための領域である。選択領域Ｓ４１は、測定点の分類情報に関する検索条件の選択肢を表示する。例えば、選択領域Ｓ４１は、分類情報に関する検索条件の候補を選択肢として表示するプルダウンリストを表示する。なお、選択領域Ｓ４１のプルダウンリストは、分類情報の検索条件を指定しない選択肢（例えば、「なし」という文字）を含んでいてもよい。選択領域Ｓ４２は、測定点の測定情報（本実施形態では、電力情報）の検索条件に関する選択肢を表示する。測定情報に関する検索条件の選択肢は、例えば、「電力量が対象回路より小さい回路」、「電力量が対象回路以下の回路」、「電力量が対象回路に等しい回路」、及び「なし」を含む。「電力量が対象回路より小さい回路」は、消費電力量が設定対象よりも小さいという条件を指定する選択肢である。「電力量が対象回路以下の回路」は、消費電力量が設定対象以下という条件を指定する選択肢である。「電力量が対象回路に等しい回路」は、消費電力量が設定対象と等しいという条件を指定する選択肢である。「なし」は、測定情報に関する条件を指定しない選択肢である。
【００９５】
ボタンＢ４１は、選択領域Ｓ４１，Ｓ４２で指定された条件に基づいて、子回路の候補の検索を行うためのボタンである。ボタンＢ４１が操作されると、第２表示処理部１５３は、複数の測定点から選択領域Ｓ４１，Ｓ４２で指定された条件に合致する測定点を検索し、検索の結果を、結果表示領域Ｒ４０に表示する。例えば、第２表示処理部１５３は、図８Ｂに示すように、検索された測定点を、チェックボックスとともに、結果表示領域Ｒ４０に表示する。結果表示領域Ｒ４０に表示された測定点を、下位関連付け対象（子回路）として選択する際には、測定点に対応するチェックボックスにチェックを入れればよい。なお、図８Ｂは、設定対象が測定点Ｆ（分類情報が「１Ｆ電灯」）であり、分類情報の検索条件が「コンセント」であり、電力情報の検索条件が「電力量が対象回路以下の回路」である場合の検索結果を示している。
【００９６】
ボタンＢ４２は、子回路（下位関連付け対象）の選択を登録せずに終了するためのボタンである。ボタンＢ４２は、「キャンセル」という文字を含む画像を表示する。ボタンＢ４２が選択されると、表示制御部１５は、選択画面Ｇ２０を表示する。この場合、検索画面Ｇ４０での子回路の選択は無効になる。そのため、候補表示領域Ｒ２０は、いずれの測定点も選択されていないことを示す。例えば、測定点のチェックボックスにチェックが入っていない状態となる。
【００９７】
ボタンＢ４３は、子回路（下位関連付け対象）の選択を登録するためのボタンである。ボタンＢ４３は、「登録」という文字を含む画像を表示する。ボタンＢ４３が選択されると、表示制御部１５は、選択画面Ｇ２０を表示する。この場合、検索画面Ｇ４０での子回路の選択が有効である。そのため、候補表示領域Ｒ２０は、検索画面Ｇ４０で選択された子回路（下位関連付け対象）の情報を表示する。例えば、候補表示領域Ｒ２０では、検索画面Ｇ４０で選択された子回路（下位関連付け対象）のチェックボックスにチェックが入れられる。
【００９８】
関連付け部１５４は、関連付け対象が選択されると、設定対象との階層の関係に応じて、関連付け対象と設定対象との関連付けを行う処理（第５処理；ステップＳ１７）を行うように構成される。例えば、関連付け部１５４は、設定対象との階層の関係が下位関係であれば、関連付け対象（下位関連付け対象）を設定対象よりも下位の階層の測定点として設定対象に関連付ける。また、関連付け部１５４は、設定対象との階層の関係が上位関係であれば、関連付け対象（上位関連付け対象）を設定対象よりも上位の階層の測定点として設定対象に関連付ける。
【００９９】
例えば、関連付け部１５４は、選択画面Ｇ２０のボタンＢ２３が選択されると、測定点の関連付けを行う。関連付け部１５４は、選択画面Ｇ２０の選択領域Ｓ２２で選択された測定点（設定対象；対象回路）に、選択画面Ｇ２０の選択領域Ｓ２３で選択された測定点（上位関連付け対象；親回路）を、上位の測定点として関連付ける。また、関連付け部１５４は、選択画面Ｇ２０の選択領域Ｓ２２で選択された測定点（設定対象；対象回路）に、選択画面Ｇ２０の候補表示領域Ｒ２０で選択された測定点（下位関連付け対象；子回路）を、下位の測定点として関連付ける。したがって、ボタンＢ２３が選択されたとことによって選択画面Ｇ２０から設定画面Ｇ１０に移行した場合には、関連付け部１５４による関連付けの結果が設定画面Ｇ１０の関連付け領域Ｒ１０に表示される。
【０１００】
評価部１５５は、設定対象の資源消費量と設定対象に関連付けられた関連付け対象の資源消費量とが判定基準を満たすかどうかに基づいて第５処理での関連付けが適切か否かを判定する処理（第６処理；ステップＳ１８，Ｓ１９，Ｓ２１）を行うように構成される。そのため、設定対象への関連付け対象の関連付けが適切であるかどうかを判定できる。判定基準は、設定対象の資源消費量（消費電力量）が、設定対象に下位の測定点として関連付けられた関連付け対象の資源消費量（消費電力量）の合計より多いことである。つまり、判定基準は、対象回路の消費電力量よりも当該対象回路の子回路の消費電力量の合計が多いことである。これにより、設定対象への下位の測定点の関連付けが適切であるかどうかを判定できる。
【０１０１】
また、評価部１５５は、第６処理において、設定対象の資源消費量と設定対象に関連付けられた関連付け対象の資源消費量とが判定基準を満たさない場合に、エラー情報を表示するように構成される（ステップＳ２１）。エラー情報は、例えば、「電力不整合が発生。対象回路より、子回路の電力合計値が大きくなっています」といったメッセージを含む情報である。そのため、設定対象への関連付け対象の関連付けが適切でなかった場合に、関連付けの再設定を促すことができる。
【０１０２】
例えば、評価部１５５は、設定画面Ｇ１０，Ｇ５０のボタンＢ１１が選択されると、関連付けの完了が選択されたと判断する。そして、評価部１５５は、設定画面Ｇ１０の関連付け領域Ｒ１０に表示されている全ての設定対象について、関連付けが適切か否かを判定する。つまり、評価部１５５は、不適切な関連付けがあるかどうかを判定する（ステップＳ１９）。
【０１０３】
例えば、設定画面Ｇ５０において、ボタンＢ１１が選択されると、１以上の子回路が対応付けられている対象回路について、判定基準に基づく判定が行われる。つまり、評価部１５５は、ボックスＦ５１０の測定点Ａ（「受電点」）、ボックスＦ５２１の測定点Ｂ（「電灯系統」）及びボックスＦ５２２の測定点Ｃ（「動力系統」）のそれぞれについて判定基準に基づく判定を行う。例えば、測定点Ａ（「受電点」）の場合、測定点Ａの消費電力量と、測定点Ｂ，Ｃの消費電力量の合計とが比較される。測定点Ａの消費電力量が４９．７ｋＷｈ、測定点Ｂ，Ｃの消費電力量の合計が４９．６ｋＷｈ（＝１８．４＋３１．２ｋＷｈ）である。そのため、評価部１５５は、測定点Ａと測定点Ｂ，Ｃの関連付けは適切であると判断する。
【０１０４】
表示制御部１５は、上述した設定方法によって設定された複数の測定点の階層的な関連付けに基づいて、上述したような図４に示すマップ表示画面２００を作成する。
【０１０５】
（３）動作説明
以下、図５を参照して、設定システム１０の動作について簡単に説明する。設定システム１０では、まず、設定システム１０では、取得部１４が、複数の測定点の資源消費量を取得する（ステップＳ１１）。次に、第１表示処理部１５１が、複数の測定点Ａ〜Ｏを設定対象の候補として表示する（ステップＳ１２）。第１表示処理部１５１は、設定対象が選択されるまで設定対象の候補の表示を継続する（ステップＳ１３）。そして、設定対象が選択されると、判定部１５２は、複数の測定点Ａ〜Ｏに、その資源消費量が、設定対象との階層の関係に応じた設定対象の資源消費量に関する判定条件を満たす特定の測定点が含まれているかどうかを判定する（ステップＳ１４）。特定の測定点が存在しない場合（ステップＳ１４；ＮＯ）、第２表示処理部１５３は、特定の測定点が存在しないことを表示し、設定システム１０での処理がステップＳ１２に戻る。一方、特定の測定点が存在する場合（ステップＳ１４；ＹＥＳ）、第２表示処理部１５３は、特定の測定点を関連付け対象の候補として表示する（ステップＳ１５）。第２表示処理部１５３は、関連付け対象が選択されるまで関連付け対象の候補の表示を継続する（ステップＳ１６）。そして、関連付け対象が選択されると、関連付け部１５４は、設定対象との階層の関係に応じて、関連付け対象と設定対象との関連付けを行う（ステップＳ１７）。この後に、関連付けの完了が選択されなければ（ステップＳ１８；ＮＯ）、設定システム１０での処理がステップＳ１２に戻る。一方、関連付けの完了が選択されると（ステップＳ１８；ＹＥＳ）、評価部１５５は、不適切な関連付けがあるかどうかを判定する（ステップＳ１９）。不適切な関連付けがあれば（ステップＳ１９；ＹＥＳ）、評価部１５５は、エラー情報を表示する。その後、設定システム１０での処理がステップＳ１２に戻る。一方、不適切な関連付けがなければ（ステップＳ１９；ＮＯ）、設定システム１０での処理が終了する。
【０１０６】
（４）まとめ
以上述べたように、本実施形態の設定システム１０では、判定部１５２が、複数の測定点Ａ〜Ｏに、その資源消費量が、設定対象との階層の関係に応じた設定対象の資源消費量に関する判定条件を満たす特定の測定点が含まれているかどうかを判定する。第２表示処理部１５３は、複数の測定点Ａ〜Ｏに特定の測定点が含まれていれば、特定の測定点Ａ〜Ｏを関連付け対象の候補として表示して関連付け対象の選択を受け付ける。このように、本実施形態の設定システム１０では、設定対象との階層の関係に応じた設定対象の資源消費量に関する判定条件を満たす特定の測定点を、関連付け対象の候補として表示する。これにより、資源消費量が判定条件を満たしてない測定点が、関連付け対象の候補から除外される。そのため、資源消費量が判定条件を満たしていない測定点を設定対象に関連付けてしまうことを抑制できる。したがって、複数の測定点同士の階層的な関連付けを正確かつ容易に設定できる。
【０１０７】
本実施形態の設定システム１０は、例えば、コンピュータシステムが設定プログラムを実行することによって実現され得る。言い換えれば、設定プログラムは、コンピュータシステムにより実行されると、コンピュータシステムを本実施形態の設定システム１０として機能させる。この設定プログラムによれば、設定システム１０と同様に、複数の測定点同士の階層的な関連付けを正確かつ容易に設定できる。このような設定プログラムは、例えば、インターネット等の電気通信回線を通じて、又はメモリカード等の記録媒体に記録されてコンピュータシステムに提供されてもよいし、コンピュータシステムのメモリに予め記録されていてもよい。
【０１０８】
言い換えれば、コンピュータシステムが、設定プログラムを実行することによって、上述の第１処理、第２処理、第３処理、第４処理、及び第５処理を含む設定方法を実行する。言い換えれば、設定方法は、上述の第１処理、第２処理、第３処理、第４処理、及び第５処理を、コンピュータシステムにより実行するともいえる。この設定方法によれば、設定システム１０と同様に、複数の測定点同士の階層的な関連付けを正確かつ容易に設定できる。
【０１０９】
２．変形例
以上説明した実施形態は、本発明の様々な実施形態の一つに過ぎない。また、上記実施形態は、本発明の目的を達成できれば、設計等に応じて種々の変更が可能である。以下に、上記実施形態の変形例を列挙する。
【０１１０】
例えば、計測システム２０において、コントローラ２１の数は１つであってもよいし、２又は４以上であってもよい。また、電流センサ２２は、電力系統９０の全ての回路（分岐回路）にそれぞれ対応して設けられていなくてもよい。例えば、図１０に示すように、計測システム２０は、電流センサ２２ａ〜２２ｏのうち、電流センサ２２ａ，２２ｃ，２２ｅ，２２ｆ，２２ｈ，２２ｋ，２２ｌ，２２ｍだけを有していてもよい。なお、図１０において、電流センサ２２ｂ，２２ｄ，２２ｇ，２２ｉ，２２ｊ，２２ｎ，２２ｏは、二点鎖線で仮想的に図示されている。
【０１１１】
図１０の場合、電流センサ２２ｂ，２２ｄ，２２ｇ，２２ｉ，２２ｊ，２２ｎ，２２ｏは実際には存在しない。そのため、これら電流センサ２２ｂ，２２ｄ，２２ｇ，２２ｉ，２２ｊ，２２ｎ，２２ｏに対応する測定点Ｂ，Ｄ，Ｇ，Ｉ，Ｊ，Ｎ，Ｏは、種別情報が仮想点に設定される。測定点が仮想点である場合、測定点の資源消費量（消費電力量）は、測定点に関連付けられた測定点の資源消費量から推定してもよい。例えば、測定点Ｇについて、測定点Ｌ，Ｍが下位の測定点として関連付けられている場合、測定点Ｌ，Ｍの資源消費量の合計を測定点Ｇの資源消費量としてもよい。あるいは、測定点Ｇについて、測定点Ｃが上位の測定点として関連付けられている場合、測定点Ｃの資源消費量を測定点Ｇの資源消費量としてもよい。あるいは、測定点Ｇについて、測定点Ｃが上位の測定点として関連付けられ、さらに、測定点Ｃに測定点Ｈが下位の測定点として関連付けられている場合、測定点Ｃ，Ｈの資源消費量の差を測定点Ｇの資源消費量としてもよい。このように、分配路に実際に電流センサ２２が設置されていない場所も測定点として利用することができる。
【０１１２】
なお、実在点である測定点の属性情報は、設定システムにより測定点の関連付けを設定する前に設定システムに入力されることが好ましい。ただし、仮想点は、実際の装置の設置を必要としないから、仮想点である測定点の属性情報は、設定システムにより測定点の関連付けを設定する過程で設定システムに入力されてもよい。
【０１１３】
上記実施形態では、測定点の属性情報は、識別情報と、名称情報と、所属情報と、分類情報と、種別情報と、を含んでいる。しかしながら、必ずしも属性情報は、名称情報と、所属情報と、分類情報と、種別情報とを含んでいる必要はない。
【０１１４】
上記実施形態の設定システム１０は、図５に示す設定方法を実行する。しかしながら、設定方法は、第６処理（ステップＳ１８，Ｓ１９，Ｓ２１）を含んでいなくてもよい。つまり、処理部１２は、評価部１９を備えていなくてもよい。
【０１１５】
また、上記実施形態では、取得部１４は、計測システム２０から測定点の資源消費量（消費電力量）を取得している。また、取得部１４は、計測システム２０の代わりに、スマートメータから測定点の資源消費量を取得してもよい。また、取得部１４は、幹線又はスマートメータの消費電力（消費電力量）から、いわゆるディスアグリゲーション技術により、特定の分岐回路又は電気機器の消費電力（消費電力量）を抽出してもよい。
【０１１６】
なお、取得部１４は、計測システム２０で計測された消費電力量を、少なくとも受変電設備６１及び分岐ブレーカ６２（分岐回路）ごとに時系列データとして取得して、記憶部１１に記憶させておいてもよい。この場合、取得部１４は、要求に応じて、測定点の資源消費量を時系列データから取得してもよい。
【０１１７】
上記実施形態では、測定時間帯は、所定期間内において分配路の全体の資源消費量が最も大きくなる時間帯である。しかしながら、測定時間帯は、所望の時間帯に設定されてもよい。例えば、測定時間帯は、分配路が設置される施設５に合わせて適切な資源消費量を取得できるように設定されてもよい。また、測定時間帯は、３０分に限定されず、１時間、１２時間、１日などであってもよい。ただし、測定時間帯が３０分程度の比較的短い時間であれば、測定点同士の関連付けのための処理にかかる時間を短縮できる。
【０１１８】
上記実施形態では、第１表示処理部１５１は、選択画面Ｇ２０のボタンＢ２１の操作に応じて、図８Ａに示す画面（対象回路用の検索画面）Ｇ３０を表示する。しかしながら、第１表示処理部１５１は、対象回路用の検索画面Ｇ３０を表示する機能を有していなくてもよい。
【０１１９】
上記実施形態では、判定部１５２での判定条件は、下位関係に応じた下位判定条件と、上位関係に応じた上位判定条件と、を含む。しかしながら、判定条件は、下位判定条件と上位判定条件との少なくとも一方を含んでいればよい。また、第２表示処理部１５３は、必ずしも、特定の上位測定点を上位関連付け対象の候補として表示する処理と、特定の下位測定点を下位関連付け対象の候補として表示する処理との両方を行う必要はない。
【０１２０】
上記実施形態では、第２表示処理部１５３は、選択画面Ｇ２０のボタンＢ２２の操作に応じて、図８Ｂに示す画面（子回路用の検索画面）Ｇ４０を表示する。しかしながら、第２表示処理部１５３は、子回路用の検索画面Ｇ４０を表示する機能を有していなくてもよい。あるいは又は加えて、第２表示処理部１５３は、親回路用の検索画面を表示する機能を有していてもよい。親回路用の検索画面の場合、測定情報に関する検索条件の選択肢は、例えば、「電力量が対象回路より大きい回路」及び「電力量が対象回路以上の回路」を含んでいてよい。「電力量が対象回路より大きい回路」は、消費電力量が設定対象よりも大きいという条件を指定する選択肢である。「電力量が対象回路以上の回路」は、消費電力量が設定対象以上という条件を指定する選択肢である。
【０１２１】
また、関連付け部１５４は、必ずしも、下位関連付け対象を設定対象よりも下位の階層の測定点として設定対象に関連付ける処理と、上位関連付け対象を設定対象よりも上位の階層の測定点として設定対象に関連付ける処理との両方を行う必要はない。
【０１２２】
また、評価部１５５は、上記実施形態と異なる判定基準を用いてもよい。例えば、判定基準は、設定対象の資源消費量から設定対象に下位の測定点として関連付けられた関連付け対象の資源消費量の合計を引いた値を設定対象の資源消費量で除した値が所定の負の値以上であることであってもよい。例えば、測定点Ａ（「受電点」）に測定点Ｂ，Ｃとが関連付けられているとする。この場合、測定点Ａの消費電力量（４９．７ｋＷｈ）から測定点Ｂ，Ｃの消費電力量の合計（４９．６ｋＷｈ）を引いた値を測定点Ａの消費電力量で除した値が所定の負の値以上であるかどうかが判定される。つまり、（４９．７−４９．６）／４９．７が所定の負の値より小さいかどうかが判定される。所定値は、例えば、−０．０５である。つまり、測定点Ａの消費電力量から測定点Ｂ，Ｃの消費電力量の合計を引いた値が測定点Ａの消費電力量の−５％以上であれば、評価部１５５は、測定点Ａと測定点Ｂ，Ｃの関連付けは適切であると判断する。この場合、設定対象への下位の測定点の関連付けが適切であるかどうかを判定でき、しかも、資源消費量の測定誤差等による影響を低減できる。
【０１２３】
また、エラー情報は、上記実施形態で述べたメッセージに限定されない。エラー情報は、関連付けが適切でなかった設定対象と関連付け対象とを特定するための情報（例えば、名称）を含んでいてもよい。
【０１２４】
また、評価部１５５は、第６処理において、判定基準を表示してもよい。つまり、評価部１５５は、どのような判定基準により関連付けの適否を判断しているかをユーザに通知してもよい。このようにすれば、設定対象への関連付け対象の関連付けが適切でなかった場合に、どのように関連付けの再設定を行えば良いかの判断が容易になる。さらに、評価部１５５は、前記第６処理において、設定対象の資源消費量と設定対象に関連付けられた関連付け対象の資源消費量とを表示してもよい。つまり、評価部１５５は、どのような資源消費量により関連付けの適否を判断しているかをユーザに通知してもよい。このようにすれば、設定対象への関連付け対象の関連付けが適切でなかった場合に、どのように関連付けの再設定を行えば良いかの判断が容易になる。
【０１２５】
また、上記実施形態では、電源９は商用交流電源であるが、分配路の供給源は、商用交流電源以外の交流電源であってもよいし、直流電源であってもよい。また、施設５は、電力の需要家の施設であるが、これに限定されない。例えば、変形例の設定システム１０は、水の需要家の施設に用いられる。この場合、分配路で供給される資源は水であり、資源消費量は、例えば、水の消費量（水量）である。また、別の変形例の設定システム１０は、ガスの需要家の施設に用いられる。この場合、分配路で供給される資源はガスであり、資源消費量は、例えば、ガスの消費量である。なお、資源が水やガスである場合、分岐回路（回路）という用語の代わりに「経路」等の別の用語が用いられる。要するに、設定システム１０が用いられる施設は、電力、水、ガス等の資源の供給を受ける施設であればよい。
【０１２６】
また、コンピュータシステムは、１又は複数のコンピュータで構成されるシステムであってもよい。つまり、設定システム１０がサーバ１で構成されることは必須ではない。例えば、設定システム１０は、サーバ１と情報端末３とで構成されていてもよい。つまり、サーバ１及び情報端末３が設定システム１０の機能を分担してもよい。要するに、設定システム１０は、サーバ１と情報端末３のうちの少なくとも１つの装置によって構成されてもよい。また、サーバ１及び情報端末３の各々の機能は、複数の装置に分散して設けられていてもよい。また、設定システム１０の少なくとも一部の機能は、例えば、クラウド（クラウドコンピューティング）によって実現されてもよい。
【０１２７】
３．態様
上記実施形態及び変形例から明らかなように、第１の態様の設定方法は、第１処理、第２処理、第３処理、第４処理、及び第５処理を含む。前記第１処理は、供給源（９）から複数の供給先（５０）に資源を供給する分配路（９０）に階層的に設けられる複数の測定点（２２ａ〜２２ｏ）の資源消費量を取得する処理である。前記第２処理は、前記複数の測定点（２２ａ〜２２ｏ）を設定対象の候補として表示して前記設定対象の選択を受け付ける処理である。前記第３処理は、前記設定対象が選択されると、前記複数の測定点（２２ａ〜２２ｏ）に、特定の測定点が含まれているかどうかを判定する処理である。前記特定の測定点は、その資源消費量が、前記設定対象との階層の関係に応じた前記設定対象の前記資源消費量に関する判定条件を満たす測定点である。前記第４処理は、前記複数の測定点（２２ａ〜２２ｏ）に前記特定の測定点が含まれていれば、前記特定の測定点を関連付け対象の候補として表示して前記関連付け対象の選択を受け付ける処理である。前記第５処理は、前記関連付け対象が選択されると、前記設定対象との階層の関係に応じて、前記関連付け対象と前記設定対象との関連付けを行う処理である。第１の態様によれば、複数の測定点同士の階層的な関連付けを正確かつ容易に設定できる。
【０１２８】
第２の態様の設定方法は、第１の態様との組み合わせにより実現され得る。第２の態様では、前記設定対象との階層の関係は、前記特定の測定点の階層が前記設定対象の階層よりも下位の階層となる下位関係を含む。前記判定条件は、前記下位関係に応じた下位判定条件を含む。前記下位判定条件は、前記特定の測定点の前記資源消費量が前記設定対象の前記資源消費量以下であることである。第２の態様によれば、設定対象への下位の測定点の関連付けを正確かつ容易に行える。
【０１２９】
第３の態様の設定方法は、第１又は第２の態様との組み合わせにより実現され得る。第３の態様では、前記設定対象との階層の関係は、前記特定の測定点の階層が前記設定対象の階層よりも上位の階層となる上位関係を含む。前記判定条件は、前記上位関係に応じた上位判定条件を含む。前記上位判定条件は、前記特定の測定点の前記資源消費量が前記設定対象の前記資源消費量以上であることである。第３の態様によれば、設定対象への上位の測定点の関連付けを正確かつ容易に行える。
【０１３０】
第４の態様の設定方法は、第１〜第３の態様のうちいずれか一つとの組み合わせにより実現され得る。第４の態様は、さらに、第６処理を含む。前記第６処理は、前記設定対象の前記資源消費量と前記設定対象に関連付けられた前記関連付け対象の前記資源消費量とが判定基準を満たすかどうかに基づいて前記第５処理での前記関連付けが適切か否かを判定する処理である。第４の態様によれば、設定対象への関連付け対象の関連付けが適切であるかどうかを判定できる。
【０１３１】
第５の態様の設定方法は、第４の態様との組み合わせにより実現され得る。第５の態様では、前記第６処理において、前記判定基準を表示する。第５の態様によれば、設定対象への関連付け対象の関連付けが適切でなかった場合に、どのように関連付けの再設定を行えば良いかの判断が容易になる。
【０１３２】
第６の態様の設定方法は、第５の態様との組み合わせにより実現され得る。第６の態様では、前記第６処理において、前記設定対象の前記資源消費量と前記設定対象に関連付けられた前記関連付け対象の前記資源消費量とを表示する。第６の態様によれば、設定対象への関連付け対象の関連付けが適切でなかった場合に、どのように関連付けの再設定を行えば良いかの判断が容易になる。
【０１３３】
第７の態様の設定方法は、第４〜第６の態様のうちいずれか一つとの組み合わせにより実現され得る。第７の態様では、前記第６処理において、前記設定対象の前記資源消費量と前記設定対象に関連付けられた前記関連付け対象の前記資源消費量とが前記判定基準を満たさない場合に、エラー情報を表示する。第７の態様によれば、設定対象への関連付け対象の関連付けが適切でなかった場合に、関連付けの再設定を促すことができる。
【０１３４】
第８の態様の設定方法は、第４〜第７の態様のうちいずれか一つとの組み合わせにより実現され得る。第８の態様では、前記判定基準は、前記設定対象の前記資源消費量が、前記設定対象に下位の測定点として関連付けられた前記関連付け対象の前記資源消費量の合計以上であることである。第８の態様によれば、設定対象への下位の測定点の関連付けが適切であるかどうかを判定できる。
【０１３５】
第９の態様の設定方法は、第４〜第７の態様のうちいずれか一つとの組み合わせにより実現され得る。第９の態様では、前記判定基準は、設定対象の前記資源消費量から前記設定対象に下位の測定点として関連付けられた前記関連付け対象の前記資源消費量の合計を引いた値を前記設定対象の前記資源消費量で除した値が所定の負の値以上であることである。第９の態様によれば、設定対象への下位の測定点の関連付けが適切であるかどうかを判定でき、しかも、資源消費量の測定誤差等による影響を低減できる。
【０１３６】
第１０の態様の設定方法は、第１〜第９の態様のうちいずれか一つとの組み合わせにより実現され得る。第１０の態様では、前記第１処理は、前記複数の測定点の各々について、前記資源消費量の測定時間帯を設定するステップを含む。第１０の態様によれば、分配路が設置される施設（５）に合わせて適切な資源消費量を取得でき、複数の測定点の特定の測定点が含まれているかどうかの判定の精度を向上できる。
【０１３７】
第１１の態様の設定方法は、第１０の態様との組み合わせにより実現され得る。第１１の態様では、前記ステップにおいて、所定期間内において前記分配路の全体の資源消費量が最も大きくなる時間帯を前記測定時間帯として設定する。第１１の態様によれば、複数の測定点の特定の測定点が含まれているかどうかの判定の精度を向上できる。
【０１３８】
第１２の態様の設定システム（１０）は、取得部（１４）、第１表示処理部（１５１）、判定部（１５２）、第２表示処理部（１５３）、及び関連付け部（１５４）を備える。前記取得部（１４）は、供給源（９）から複数の供給先（５０）に資源を供給する分配路（９０）に階層的に設けられる複数の測定点（２２ａ〜２２ｏ）の資源消費量を取得するように構成される。前記第１表示処理部（１５１）は、前記複数の測定点（２２ａ〜２２ｏ）を設定対象の候補として表示して前記設定対象の選択を受け付けるように構成される。前記判定部（１５２）は、前記設定対象が選択されると、前記複数の測定点（２２ａ〜２２ｏ）に、特定の測定点が含まれているかどうかを判定するように構成される。前記特定の測定点は、その資源消費量が、前記設定対象との階層の関係に応じた前記設定対象の前記資源消費量に関する判定条件を満たす測定点である。前記第２表示処理部（１５３）は、前記複数の測定点（２２ａ〜２２ｏ）に前記特定の測定点が含まれていれば、前記特定の測定点を関連付け対象の候補として表示して前記関連付け対象の選択を受け付けるように構成される。前記関連付け部（１５４）は、前記関連付け対象が選択されると、前記設定対象との階層の関係に応じて、前記関連付け対象と前記設定対象との関連付けを行うように構成される。第１２の態様によれば、複数の測定点同士の階層的な関連付けを正確かつ容易に設定できる。
【０１３９】
第１３の態様の設定プログラムは、コンピュータシステムにより実行されるプログラムである。前記コンピュータシステムは、前記設定プログラムを実行することにより、第１〜第１１の態様のうちいずれか一つの設定方法を行う。第１３の態様によれば、複数の測定点同士の階層的な関連付けを正確かつ容易に設定できる。
【符号の説明】
【０１４０】
１０  設定システム
１４  取得部
１５１  第１表示処理部
１５２  判定部
１５３  第２表示処理部
１５４  関連付け部
９    電源
９０  電力系統
【図１】
2018067070.tif 000005
【図２】
2018067070.tif 000006
【図３】
2018067070.tif 000007
【図４】
2018067070.tif 000008
【図５】
2018067070.tif 000009
【図６】
2018067070.tif 000010
【図７】
2018067070.tif 000011
【図８】
2018067070.tif 000012
【図９】
2018067070.tif 000013
【図１０】
2018067070.tif 000014